(57)【要約】【課題】受け入れた水中の混入物が沈降する堆積空間に堆積した混入物を移送させる移送システムに関し、混入物を十分に移動させながら混入物の巻き上がりを抑える。【解決手段】上端部分８２が閉塞した移送空間Ｓ２を形成し、上端部分８２より下方に、堆積空間Ｓ１を画定する画定面から離間した吸込口８１が設けられた移送空間形成部材８と、移送空間Ｓ２内に流体を吐出する吐出口７とを備え、移送空間形成部材８は、上端部分８２円弧状であるものであり、吐出口７は、混入物の移送方向下流側に向かって流体を吐出するものである。【選択図】図３
2020032421.tif 000002
【特許請求の範囲】
【請求項１】
受け入れた水に含まれている混入物が沈降する堆積空間が設けられ、該堆積空間に堆積した混入物を移送させる移送システムであって、
上端部分が閉塞した空間を形成し、該上端部分より下方に、前記堆積空間を画定する画定面から離間した開口が設けられた空間形成部材と、
前記空間内に流体を吐出する吐出口とを備え、
前記空間形成部材は、前記上端部分が円弧状であるものであり、
前記吐出口は、前記混入物の移送方向下流側に向かって流体を吐出するものであることを特徴とする移送システム。
【請求項２】
前記吐出口は、０より大きく、３．０ｍ３／分以下の流体を吐出するものであることを特徴とする請求項１記載の移送システム。
【発明の詳細な説明】
【技術分野】
【０００１】
本発明は、受け入れた水に含まれている混入物が沈降する堆積空間が設けられ、この堆積空間に堆積した混入物を移送させる移送システムに関する。
【背景技術】
【０００２】
廃水処理システムの一形態である下水処理システムにおける、沈砂池や沈殿池それぞれは、受け入れた水に含まれている混入物が沈降する堆積空間が設けられ、この堆積空間に堆積した混入物を移送させる移送システムの一つである。ここで、沈砂池には、下水または雨水などの汚水を受け入れ、その汚水に含まれている砂を池下部に設けられたトラフ等に沈降させた後、トラフ等に堆積した砂を集めるために所定方向に移動させ、集まった砂を汚水から取り除くものがある。また、沈殿池には、沈砂池で砂が除去された汚水を受入れ、受け入れた汚水に含まれている汚泥を池下部に沈降させた後、池下部に堆積した汚泥を集めるために所定方向に移動させ、集まった汚泥を汚水から取り除くものがある。これら沈砂池や沈殿池には、池下部に設けられたトラフや堆積空間に堆積した砂や汚泥を、吐出口から吐出した流体の流れによりその流体の吐出方向下流側に向かって移動させ、集まった砂や汚泥をポンプによって汚水の外に排出するものが知られている。この流体を用いた移送では、せっかく堆積した砂や汚泥が、吐出された流体によって巻き上がってしまうことがあり、砂や汚泥の巻き上がりをいかにして抑えるかが重要になってくる。そこで、汚泥が沈降する堆積空間に、吐出方向下流側に向かって下方へ傾斜した遮蔽板を、吐出方向に沿って間隔をあけて配置し、その遮蔽板によって汚泥の巻き上がりを防止しようとする沈殿池が提案されている（例えば、特許文献１等参照）。
【先行技術文献】
【特許文献】
【０００３】
【特許文献１】実開昭６４−５６８０７号公報
【発明の概要】
【発明が解決しようとする課題】
【０００４】
しかしながら、特許文献１に記載された沈殿池では、吐出方向に対向するように遮蔽板が配置されていることになり、吐出口から吐出される流体が遮られ、汚泥が十分に移動しない恐れがある。このため、汚泥を十分に移動させようとして吐出口の吐出圧を高めると、今度は、吐出された流体の勢いによって汚泥が遮蔽板に沿って巻き上がってしまう恐れがある。また、特許文献１に記載された遮蔽板を沈砂池のトラフに配置した場合であっても、特許文献１と同様の問題がある。さらに、沈砂池や沈殿池以外においても、例えば、工場等において金属製品を加工する際に生じる金属粉を所定方向に移動させ、集めた金属粉を排出することが考えられ、この場合においても、金属粉の巻き上がりを抑えて移動させることが好ましい。
【０００５】
本発明は上記事情に鑑み、混入物を十分に移動させながら混入物の巻き上がりを抑える工夫がなされた移送システムを提供することを目的とする。
【課題を解決するための手段】
【０００６】
上記目的を解決する本発明の移送システムは、受け入れた水に含まれている混入物が沈降する堆積空間が設けられ、該堆積空間に堆積した混入物を移送させる移送システムであって、
上端部分が閉塞した空間を形成し、該上端部分より下方に、前記堆積空間を画定する画定面から離間した開口が設けられた空間形成部材と、
前記空間内に流体を吐出する吐出口とを備え、
前記空間形成部材は、前記上端部分が円弧状であるものであり、
前記吐出口は、前記混入物の移送方向下流側に向かって流体を吐出するものであることを特徴とする。
【０００７】
また、受け入れた水に含まれている混入物が沈降する堆積空間が設けられ、該堆積空間に堆積した混入物を移送させる移送システムであって、
上端部分が閉塞した空間を形成し、該上端部分より下方に、前記堆積空間を画定する画定面から離間した開口が設けられた空間形成部材と、
前記空間内に流体を吐出する吐出口と、
前記画定面を内周に有し、上方に向かって開口した溝とを備え、
前記空間形成部材は、前記上端部分が前記溝の開口よりも下方に位置したものであり、
前記吐出口は、前記混入物の移送方向下流側に向かって流体を吐出するものであってもよい。
【０００８】
また、受け入れた水に含まれている混入物が沈降する堆積空間が設けられ、該堆積空間に堆積した混入物を移送させる移送システムであって、
上端部分が閉塞した空間を形成し、該上端部分より下方に、前記堆積空間を画定する画定面から離間した開口が設けられた空間形成部材と、
前記空間内に流体を吐出する吐出口と、
前記画定面を内周に有し、上方に向かって開口した溝とを備え、
前記空間形成部材は、前記上端部分が前記溝の開口よりも下方に位置したものであってもよい。
【０００９】
また、受け入れた水に含まれている混入物が沈降する堆積空間が設けられ、該堆積空間に堆積した混入物を移送させる移送システムであって、
上端部分が閉塞した移送空間を形成し、該上端部分より下方に、前記堆積空間を画定する画定面から離間した吸込口が設けられた移送空間形成部材と、
前記移送空間内に流体を吐出する吐出口とを備え、
前記吸込口は、前記堆積空間内で開口し、該堆積空間に堆積した混入物を、前記吐出口から流体が吐出されることで前記移送空間内に吸い込む開口として機能するものであり、
前記移送空間形成部材は、前記移送空間内に吸い込まれた混入物が、前記吐出口から流体が吐出されることで該流体の吐出方向下流側に向かって移動する経路として機能するものであり、
前記移送空間形成部材は、前記上端部分が円弧状であるものであることを特徴とする移送システムであってもよい。
【００１０】
また、この移送システムにおいて、前記画定面を内周に有し、上方に向かって開口した溝を備え、
前記移送空間形成部材は、前記上端部分が前記溝の開口よりも下方に位置したものであってもよい。
【００１１】
また、この移送システムにおいて、前記移送空間は、前記吸込口につながる下端部分が、該吸込口に近づくほど狭くなったものであってもよい。
【００１２】
また、受け入れた水に含まれている混入物が沈降する堆積空間が設けられ、その堆積空間に堆積した混入物を移送させる移送システムであって、
上端部分が閉塞した移送空間を形成し、その上端部分より下方に、上記堆積空間を画定する画定面から離間した吸込口が設けられた移送空間形成部材と、
上記移送空間内に流体を吐出する吐出口と、
排出手段とを備え、
上記吸込口は、上記堆積空間内で開口し、その堆積空間に堆積した混入物を、上記吐出口から流体が吐出されることで上記移送空間内に吸い込む開口として機能するものであり、
上記移送空間形成部材は、上記移送空間内に吸い込まれた混入物が、上記吐出口から流体が吐出されることでその流体の吐出方向下流側に向かって移動する経路として機能するものであり、
上記排出手段は、上記吐出方向下流側に移送されてきた混入物を、受け入れた水の外に排出するものであってもよい。
【００１３】
ここで、受け入れた水に含まれている混入物は、砂であってもよいし、汚泥であってもよいし、金属粉であってもよい。
【００１４】
また、上記堆積空間よりも深いピットが設けられたものであってもよい。さらに、上記排出手段は、ポンプであってもよいし、バケット等によって上記吐出方向下流側に移送されてきた混入物を、受け入れた水の外に排出する装置であってもよい。また、上記排出手段は、サイフォン式の排出装置であってもよい。上記排出手段がポンプである場合には、そのポンプは、上記ピット内に設けられたものであってもよく、上記ピット外に設けられたものであってもよい。後者の場合には、上記ピット内に、上記吐出方向下流側に移送されてきた混入物を吸引する吸引口が設けられた態様であってもよい。
【００１５】
また、上記移送空間形成部材は、断面形状がＣ字状（円弧状）、Ｕ字状、Ｖ字状、コ字状等であってもよい。
【００１６】
この移送システムによれば、上記吐出口から上記移送空間内に流体が吐出されることで、上記堆積空間に堆積した混入物が、上記吸込口からその移送空間内に吸い込まれる。ここで、上記吸込口は、上記堆積空間内で開口しているため、上記堆積空間に堆積した混合物を効率よく上記移送空間内に吸い込むことができる。さらに、上記移送空間内では、吸い込まれた混入物が、上記流体の流れによって吐出方向下流側に向かって移動し、上記吐出方向下流側に移送されてきた混入物は、上記排出手段によって、受入れた水の外に排出される。仮に、上記移送空間内を吐出方向下流側に向って移動する混入物が、吐出方向下流側で吸込口から漏れ出したとしても、上記吸込口が上記堆積空間内で開口していることにより、堆積空間内に留まりやすい。したがって、この移送システムによれば、混入物を十分に移動させながら混入物の巻き上がりを抑えることができる。
【００１７】
また、この移送システムにおいて、上記排出手段はポンプであり、
上記吐出口は、上記ポンプの排出量以下の量の流体を吐出するものであってもよい。
【００１８】
こうすることで、上記吐出口から吐出される流体によって、受け入れた水の量が増加しすぎてしまうことを防ぐことができる。
【００１９】
また、この移送システムにおいて、上記排出手段はポンプであり、
上記吐出口は、０より大きく、３．０ｍ３／分以下の流体を吐出するものであることが好ましい。
【００２０】
こうすることで、上記吐出口から吐出される流体の量が多すぎることによって、上記移送空間内を移動する混入物が上記移送空間形成部材の外に不用意に出てしまうことを防ぐことができ、混入物の巻き上がりをより抑えることができる。また、吐出量が３．０ｍ３／分を超えるような能力が大きいポンプを用いる必要がなく、上記ポンプのコストを抑えることができる。
【００２１】
さらに、この移送システムにおいて、上記堆積空間よりも上流側に設けられ、受け入れた水に混入している混入物のうち目幅より大きい混入物の通過を阻止するスクリーン部材をさらに備え、
上記吸込口は、上記画定面のうちの底部に向かって開口したものであり、
水平面内において上記吐出方向に直交する方向を幅方向とした場合に、
上記移送空間形成部材と上記画定面との隙間、上記吸込口と上記底部との上下方向の間隔、およびその吸込口の上記幅方向の長さそれぞれは、上記目幅以上１２５ｍｍ以下の態様であってもよい。
【００２２】
ここで、上記画定面は、断面形状が円弧状のものであってもよく、この場合には、１／２よりも大きな円弧状のもの（例えば、３／４の円弧状のもの）が好ましい。こうすることで、上記堆積空間に堆積した混入物がその堆積空間外に舞い上がってしまうことをより抑えることができる。
【００２３】
この態様によれば、上記隙間、上記間隔および上記長さそれぞれを上記目幅以上にすることにより、上記スクリーンを通過してきた上記目幅より小さい混入物が、上記移送空間形成部材と上記画定面との間、上記吸込口と上記底部との間、あるいはその吸込口に詰まってしまうことが抑えられる。ここで、上記吸込口と上記底部との上下方向の間隔が大きくなればなるほど上記移送空間内に混入物が吸い込まれにくくなる。また、その吸込口の幅方向の長さが長くなりすぎても、上記移送空間内に混入物が吸い込まれにくくなる。このため、上記吸込口と上記底部との上下方向の間隔、およびその吸込口の上記幅方向の長さそれぞれを１２５ｍｍ以下にすることにより、上記移送空間内に混入物が吸い込まれにくくなることを抑えることができる。
【００２４】
また、この移送システムにおいて、上記堆積空間よりも上流側に設けられ、受け入れた水に混入している混入物のうち目幅より大きい混入物の通過を阻止するスクリーン部材をさらに備え、
水平面内において上記吐出方向に直交する方向を幅方向とした場合に、
上記移送空間形成部材は、上記画定面の、上記幅方向における一端側に接続する一方、その画定面の、その幅方向における他端側とは離間したものであり、
上記移送空間形成部材と上記他端側との隙間、上記吸込口と上記画定面の底部との上下方向の間隔、およびその吸込口の上記幅方向の長さそれぞれは、上記目幅以上１２５ｍｍ以下の態様であってもよい。
【００２５】
ここで、上記移送空間形成部材は、上記一端側の上端部分に接続するものであってもよく、その一端側の、上下方向における途中部分に接続するものであってもよい。
【００２６】
この態様によれば、上記隙間、上記間隔および上記長さそれぞれを上記目幅以上にすることにより、上記スクリーンを通過してきた上記目幅より小さい混入物が、上記移送空間形成部材と上記他端側との間、上記吸込口と上記底部との間、あるいはその吸込口に詰まってしまうことが抑えられる。また、上記吸込口と上記底部との上下方向の間隔、およびその吸込口の上記幅方向の長さそれぞれを１２５ｍｍ以下にすることにより、上記移送空間内に混入物が吸い込まれにくくなることを抑えることができる。
【００２７】
さらに、この移送システムにおいて、上記堆積空間よりも上流側に設けられ、受け入れた水に混入している混入物のうち目幅より大きい混入物の通過を阻止するスクリーン部材をさらに備え、
上記吸込口は、上記画定面のうちの底部に向かって開口したものであり、
水平面内において上記吐出方向に直交する方向を幅方向とした場合に、
上記画定面は、平面状の底部と、その底部に接続し上記堆積空間内に沈降してきた混入物をその底部に向かわせる斜部とを有するものであり、
上記底部は、上記幅方向の長さが、上記吸込口の上記幅方向の長さよりも長いものであり、
上記吸込口と上記底部との上下方向の間隔、およびその吸込口の上記幅方向の長さそれぞれは、上記目幅以上１２５ｍｍ以下であり、
上記移送空間形成部材と上記斜部との隙間は、上記目幅以上であり、
上記吸込口と上記斜部が上記底部に接続する部分との上記幅方向の距離は、１２５ｍｍ以下である態様であってもよい。
【００２８】
この態様によれば、上記隙間、上記間隔および上記長さそれぞれを上記目幅以上にすることにより、上記スクリーンを通過してきた上記目幅より小さい混入物が、上記吸込口と上記底部との間、その吸込口、あるいは上記移送空間形成部材と上記斜部との間に詰まってしまうことが抑えられる。また、上記吸込口と上記底部との上下方向の間隔、およびその吸込口の該幅方向の長さそれぞれを、１２５ｍｍ以下にすることにより、その底部に堆積した混入物が上記移送空間内に吸い込まれにくくなることを抑えることができる。ここで、前記堆積空間内に沈降してきた混入物のうち、上記斜部に沈降してきた混入物はその斜部によって上記底部にむかう。このため、上記斜部が上記底部に接続する部分と上記吸込口との上記幅方向の距離を、１２５ｍｍ以下にすることによって、前記堆積空間内に沈降してきた混入物を上記移送空間内に吸い込まれやすくすることができる。
【発明の効果】
【００２９】
本発明によれば、混入物を十分に移動させながら混入物の巻き上がりを抑える工夫がなされた移送システムを提供することができる。
【図面の簡単な説明】
【００３０】
【図１】本発明の移送システムの一実施形態に相当する沈砂池を上方から見た平面図である。
【図２】図１に示す沈砂池のＡ−Ａ断面図である。
【図３】（ａ）は、図２におけるＢ−Ｂ断面図あり、（ｂ）は、（ａ）におけるＣ−Ｃ断面図である。
【図４】（ａ）は、沈砂池の第１変形例における、図３（ａ）に対応した態様を示す断面図であり、（ｂ）は、（ａ）におけるＤ−Ｄ断面図である。
【図５】第２変形例の沈砂池を幅方向に切断した状態を示す断面図である。
【図６】本発明の移送システムの第２実施形態である沈殿池を上方から見た平面図である。
【図７】図６に示す沈殿池のＥ−Ｅ断面図である。
【図８】図６に示す沈殿池のＦ−Ｆ断面図である。
【図９】（ａ）は、図８のＧ部を拡大して示す拡大図であり、（ｂ）は、図８のＨ部を拡大して示す拡大図である。
【発明を実施するための形態】
【００３１】
以下、図面を参照して本発明の実施の形態を説明する。本発明の移送システムの一実施形態である沈砂池は、下水処理システムの上流側に配置され、下水または雨水などの汚水に含まれる砂を沈降させた後、沈降させた砂を集砂ピットに移動させて汚水から取り除くものである。
【００３２】
図１は、本発明の移送システムの一実施形態に相当する沈砂池を上方から見た平面図であり、図２は、図１に示す沈砂池のＡ−Ａ断面図である。
【００３３】
図１に示すように、沈砂池１は、除塵機２と、トラフ３と、集砂ピット４と、ポンプ井５とを備えた平面視長方形状の池である。以下、沈砂池１の長辺方向を長手方向と称し、短辺方向を幅方向と称することがある。図１に示す沈砂池１は、図の右側から汚水を受け入れ、受け入れた水は図の左側に向かってゆっくりと流れていく（図１および図２に示す直線の矢印参照）。すなわち、沈砂池の長手方向が水の流れの方向になり、図１および図２では図の右側が沈砂池における水の流れの上流側になり左側が下流側になる。また、後述する吐出口からは、図１および図２の右側に水が吐出される。すなわち、図１および図２では図の右側が吐出方向下流側になり左側が吐出方向上流側になる。
【００３４】
除塵機２は、沈砂池１に流れ込んできた汚水に混入している混入物のうち、し渣等を除去するためのものであり、トラフ３よりも上流側に設置されている。除塵機２は、無端チェーン２１と、その無端チェーン２１に間隔をあけて取り付けられた複数のレーキ２２と、水中に没するろ過スクリーン２３とを有する。無端チェーン２１は、沈砂池１の幅方向両側それぞれに斜めに起立した状態で設けられたものであり、図２に示すように、地上側スプロケット２１１と、池底側スプロケット２１２に巻きかけられている。無端チェーン２１が駆動すると、レーキ２２は水中を出入りする。ろ過スクリーン２３は、無端チェーン２１の下流側に配置されている。このろ過スクリーン２３は、上下方向に延びるバーが所定の目幅（例えば、２５ｍｍ〜７５ｍｍ）で並べられたものであり、この目幅以上の大きさの混入物の通過を遮る。すなわち、ろ過スクリーン２３は、本発明にいうスクリーン部材の一例に相当する。本実施形態では、ろ過スクリーン２３の目幅は、７５ｍｍに設定されている。このろ過スクリーン２３で遮られた混入物は、レーキ２２によって掻き揚げられ、掻き揚げられた混入物は、地上側で不図示のベルトコンベア等の運搬手段に載せられる。
【００３５】
除塵機２の下流側には、池下部１ａに堆積した砂が集められる集砂ピット４が設けられている。集砂ピット４の内部には、揚砂ポンプ４１が設けられている。この揚砂ポンプ４１は、集砂ピット４の底面近傍に配置されており、集砂ピット４に集められた砂を沈砂池１の外部に搬送するものである。すなわち、揚砂ポンプ４１は、集砂ピット４に集められた砂を沈砂池１に受け入れた水の外に排出するものである。揚砂ポンプ４１には揚砂管４２が接続されている。揚砂ポンプ４１によって吸引された砂と汚水は、揚砂管４２を通して、沈砂池１外に設けられた不図示の沈砂分離機に送られ、この沈砂分離機によって砂と汚水が分離される。すなわち、揚砂ポンプ４１は、本発明にいう、受け入れた水の外に混入物を排出する排出手段の一例に相当する。本実施形態の揚砂ポンプ４１には、排出量（吐出量）が２．０ｍ３／分のものが用いられている。
【００３６】
トラフ３は、集砂ピット４とポンプ井５の間に設けられている。すなわち、トラフ３は、集砂ピット４よりも下流側であって、ポンプ井５よりも上流側に設けられている。このトラフ３は、沈砂池１の池下部１ａ（図２参照）に設けられた溝である。池下部１ａには、後述するように傾斜面６が設けられ、傾斜面６につながるようにトラフ３が設けられている。沈砂池１に流れ込んだ汚水中の砂は、池下部１ａに向かって沈降し、池下部１ａに堆積する。
【００３７】
ポンプ井５は、砂が取り除かれた汚水が貯留されるものである。ポンプ井５は、沈砂池１の最も下流側に配置されている。また、図２に示すように、ポンプ井５の底面が沈砂池１における最深部となっている。ポンプ井５の内部には、揚水ポンプ５１が設けられている。この揚水ポンプ５１は、ポンプ井５に貯留された汚水を沈砂池１の外部に移動するものである。揚水ポンプ５１には揚水管５２が接続されている。揚水ポンプ５１によって吸引された汚水は、この揚水管５２を通して、不図示の沈殿池に送られる。図２に示すＷＬは汚水の水面を表している。なお、この水面ＷＬの位置は、沈砂池１へ流れ込む汚水の量によって、トラフ３の底部からの高さが例えば１ｍ以上５ｍ以下の範囲で変化する。
【００３８】
トラフ３は、図１に示すように沈砂池１の幅方向中央に設けられ、ポンプ井５よりも上流側となる位置から所定方向に延在した溝である。トラフ３の吐出方向下流側の端部は集砂ピット４に接続されており、トラフ３内に堆積した砂は、後述する吐出口から吐出される水の流れによって集砂ピット４まで移動させられる。
【００３９】
また、図１および図２に示す沈砂池１は、トラフ３内に移送空間形成部材８も備えている。この移送空間形成部材８の全長はトラフ３の全長と同じであり、移送空間形成部材８は、トラフ３に沿って延在したものである。移送空間形成部材８についての詳しい説明は後述する。
【００４０】
図３（ａ）は、図２におけるＢ−Ｂ断面図である。この図３（ａ）では図の左右方向がトラフ３の幅方向になる。
【００４１】
図３（ａ）には、池下部１ａに設けられた傾斜面６の下部と、その傾斜面６につながるように設けられたトラフ３が示されている。図３（ａ）に示すように、傾斜面６は、トラフ３の幅方向両側に設けられている。この傾斜面６は、トラフ３に向かって下方に４５度傾斜したコンクリート製のものであり、ポンプ井５よりも上流側となる位置と集砂ピット４との間で長手方向に延在している。なお、傾斜面６の傾斜角度は、例えば３０度であってもよく６０度であってもよい。
【００４２】
また、トラフ３は、図３（ａ）に示すように、３／４円弧の断面形状をもった、全長１５ｍ程度の溝であり、堆積空間Ｓ１を画定する画定面３１を内周に備えている。このトラフ３は、ステンレス製等の板材を曲げ加工することによって形成したものであるが、傾斜面６と一体にコンクリートで形成したものであってもよい。また、トラフ３の断面形状は円弧状に限られず、Ｕ字状やＶ字状等であってもよい。図３（ａ）に示すトラフ３は、直径３５６ｍｍ程度の円筒体の上方（液面側）１／４を切り欠いた形状のものであり、上方に向かって開口している。以下、上方に向かって開口している部分をトラフ３の開口３ａと称する。トラフ３内の堆積空間Ｓ１のうち、上端の開口３ａにつながる上端部分３ｂは、その開口３ａに近づくほど狭くなっている。すなわち、トラフ３の開口３ａは、トラフ３の延在方向に直交する幅方向に絞られた開口である。
【００４３】
沈砂池１に流れ込んだ汚水に含まれている砂は、汚水が下流側へ流れていく過程において池下部１ａに沈降していく。池下部１ａに沈降してきた砂のうち、傾斜面６に沈降した砂は、傾斜面６に沿ってさらにトラフ３に向かって流れ落ち、トラフ３の開口３ａから堆積空間Ｓ１に入り込む。したがって、池下部１ａに沈降してきた砂は、まずは、トラフ３の堆積空間Ｓ１に集められる。
【００４４】
図３（ａ）に示す移送空間形成部材８は、３／４円弧の断面形状をもったものである。この移送空間形成部材８は、板厚が３ｍｍ〜４ｍｍ程度のステンレス製の板材を、断面円弧状に成形したものである。図３（ａ）に示す移送空間形成部材８は、直径１５６ｍｍ程度の円筒体の下方（池下部側）１／４を切り欠いた形状のものであり、堆積空間Ｓ１内において、画定面３１のうちの底部３１ａに向って開口している。すなわち、移送空間形成部材８の下端は、底部３１ａに向って開口したものであり、以下、この開口している部分を吸込口８１と称する。この吸込口８１における、トラフ３の幅方向の長さＬは、スクリーン部材（ここではろ過スクリーン２３）の目幅（ここでは７５ｍｍ）以上１２５ｍｍ以下の範囲の中で設定されるものであり、本実施形態においては、長さＬは１００ｍｍ程度に設定されている。以下、吸込口８１における、トラフ３の幅方向の長さＬを、単に、吸込口の長さＬと称することがある。また、吸込口８１は、トラフ３の画定面３１から離間したものである。
【００４５】
移送空間形成部材８は、トラフ３内の空間を仕切るものであって、下端より上の部分が閉塞した移送空間Ｓ２を形成するものである。移送空間形成部材８の上端部分８２は閉じているが、円弧状であり、下方へ向かって傾斜している。この移送空間形成部材８にも、砂が沈降してくるが、円弧状であるため、砂が堆積しにくく、移送空間形成部材８に沈降してきた砂は、円弧状の側面８０をつたって、画定面３１の底部３１ａに向かって流れ落ちやすくなる。また、円弧状の側面８０によって、移送空間Ｓ２は、吸込口８１につながる下端部分が、その吸込口８１に近づくほど狭くなっている。
【００４６】
ここで、図１および図２に示すように、トラフ３の下方には、支持台９１が、トラフ３の延在方向において５ｍ程度おきに設けられている。
【００４７】
図３（ｂ）は、同図（ａ）におけるＣ−Ｃ断面図である。この図３（ｂ）では図の左右方向がトラフ３の延在方向になり、図の右側が上流側（集砂ピット４側）になり左側が下流側（ポンプ井５側）になる。
【００４８】
図３（ａ）に示すように、移送空間形成部材８は、吸込口８１の両脇になる下端８３が支持台９１によって支持されている。支持台９１は、画定面３１の最深部である底部３１ａに設けられたコンクリート製のものである。同図（ｂ）に示すように、支持台９１は、上流側傾斜面９１１と下流側傾斜面９１２を有するとともに、上流側傾斜面９１１と下流側傾斜面９１２の間に支持部９１３を有する。移送空間形成部材８の下端８３は、この支持部９１３に支持されている。同図（ａ）に示すように、支持部９１３の幅方向中央には水平面９１３１が設けられているが、その水平面９１３１の両側は、トラフ３に向かって下方へ傾斜している。
【００４９】
図３（ａ）に示す移送空間形成部材８は、下端８３が支持台９１によって支持されることによって、吸込口８１と底部３１ａとの上下方向の間隔Ｃ１を有している。この間隔Ｃ１も、吸込口８１の長さＬと同様に、スクリーン部材（ここではろ過スクリーン２３）の目幅（ここでは７５ｍｍ）以上１２５ｍｍ以下の範囲の中で設定されるものである。本実施形態においては、移送空間形成部材８は、その径方向の中心が、トラフ３の径方向の中心よりも下方の位置とされ、間隔Ｃ１は１００ｍｍ程度に設定されている。
【００５０】
また、本実施形態では、トラフ３の幅方向において、移送空間形成部材８の径方向の中心は、トラフ３の径方向の中心に一致し、トラフ３の画定面３１と移送空間形成部材８との隙間Ｃ２は、最も狭い位置でも、スクリーン部材（ここではろ過スクリーン２３）の目幅（ここでは７５ｍｍ）以上は確保されている。本実施形態においては、隙間Ｃ２は、最も狭い位置でも、８０ｍｍ程度は確保されている。吸込口８１の長さＬ、吸込口８１と底部３１ａとの上下方向の間隔Ｃ１、および画定面３１と移送空間形成部材８との隙間Ｃ２は、ろ過スクリーン２３の目幅（ここでは７５ｍｍ）以上であるため、上流側のろ過スクリーン２３を通過した混入物が、吸込口８１、吸込口８１と底部３１ａとの間、あるいは画定面３１と移送空間形成部材８との間に詰まってしまうことが抑えられる。
【００５１】
さらに、移送空間形成部材８内の移送空間Ｓ２には、その移送空間Ｓ２内に流体を吐出する吐出口７が設けられている。この吐出口７は、直径５０ｍｍ弱のパイプ状の給水管７１の先端を扁平につぶした長孔形状のものである。吐出口７の横方向（トラフ幅方向）の最大開口長は６０ｍｍ弱程度である。吐出口７をこのような扁平な形状にすることで、真円の形状のものよりも、流速を高めた範囲を広く確保することができる。なお、吐出口７は、直径８０ｍｍ弱程度の給水管の先端を扁平につぶしたものであってもよい。図２に示すように、給水管７１は、沈砂池１外の図示しない給水源から移送空間形成部材８に接続したものである。また、図３（ａ）に示すように、給水管７１は、傾斜面６に沿ってトラフ３の開口３ａ付近まで下方に延在した後、トラフ３の幅方向中央に向って略水平状に延在し、さらに、トラフ３の幅方向中央で下方に向かって折れ曲がり、今度は、移送空間形成部材８を貫通し、移送空間Ｓ２内に入り込んでいる。
【００５２】
給水管７１の、移送空間Ｓ２内に入り込んだ部分７１１は、支持台９１の水平面９２３１まで下方へ延び、移送空間形成部材８の吸込口８１の近傍で上流側（集砂ピット４側）に向けて水平面９１３１上に載置されるように水平に折れ曲がっている。給水管７１の、移送空間Ｓ２内に入り込んだ部分７１１の上流側（集砂ピット４側）には、矩形状の巻付防止板９５が立設されている。また、トラフ３の幅方向中央に向って略水平状に延在し、トラフ３の幅方向中央で下方に向かって折れ曲がり移送空間形成部材８まで下方に延在したＬ字状部分７１２の上流側（集砂ピット４側）には、矩形の板材をＬ字状に折り曲げた第２巻付防止板９６が取り付けられている。これら巻付防止板９５や第２巻付防止板９６によって、給水管７１の、移送空間Ｓ２内に入り込んだ部分７１１やＬ字状部分７１２に、紐状の混入物（例えば、髪の毛やビニール紐）が巻き付くことを防止している。なお、給水管７１の、傾斜面６に沿って延在した部分は、傾斜面６に接触させることにより紐状の混入物が巻き付くことを抑えることができる。
【００５３】
本実施形態の吐出口７は、移送空間形成部材８の径方向の中心よりも下方に位置しており、具体的には、吸込口８１よりやや上方、或いは吸込口８１と略同じ高さに位置している。この吐出口７からは、水平方向あるいは略水平方向に水が吐出される（図３（ｂ）中の右向きの矢印参照）。すなわち、図３（ｂ）では、図の右側が吐出方向下流側になり、図の左側が吐出方向上流側になる。なお、吐出口７の上下方向の位置は、移送空間形成部材８の径方向の中心と同じにしてもよいし、移送空間形成部材８の径方向の中心よりも上方にしてもよい。ここで、吐出口７から吐出される水の量は、揚砂ポンプ４１の排出量（ここでは、２．０ｍ３／分）以下に設定される。吐出口７から吐出される水の量を揚砂ポンプ４１の排出量以下にすることにより、沈砂池１に貯留される水の量が不用意に増加してしまうことを防ぐことができる。また、吐出口７から吐出される水の量は、０より大きく、３．０ｍ３／分以下に設定することが好ましい。本実施形態の吐出口７は、１．５ｍ３／分程度の水が吐出されるように設定されている。
【００５４】
吐出口７から移送空間形成部材８の移送空間Ｓ２内に水が吐出されることで、トラフ３内の堆積空間Ｓ１に堆積した砂は、図３（ａ）に示す曲線の矢印のように、吸込口８１から移送空間Ｓ２内に吸い込まれる。ここで、吸込口８１は、堆積空間Ｓ１内で開口しているため、堆積空間Ｓ１に堆積した砂を効率よく移送空間Ｓ２内に吸い込むことができる。また、仮に、移送空間Ｓ２内を吐出方向下流側に向って移動する砂が、吐出方向下流側で吸込口８１から漏れ出したとしても、堆積空間Ｓ１内に留まりやすい。さらに、上述したように、吸込口８１の長さＬを１２５ｍｍ以内に設定しているため、この長さＬが長すぎて堆積空間Ｓ１に堆積した砂が、吸込口８１から移送空間Ｓ２内に吸い込まれにくくなることを防ぐことができる。また、吸込口８１と底部３１ａとの上下方向の間隔Ｃ１を１２５ｍｍ以内に設定しているため、この間隔Ｃ１が大きすぎて、堆積空間Ｓ１内に堆積した砂が移送空間Ｓ２内に吸い込まれ難くなることが抑えられる。さらに、移送空間Ｓ２内では、吸い込まれた砂が、吐出口７から吐出された水の流れによって吐出方向下流側（集砂ピット４側）に向かって移動する。図３に示すように、吸込口８１は、幅方向（移送空間形成部材８の延在方向に直交する方向）に絞られた開口であって、移送空間Ｓ２はその吸込口８１から拡がった空間である。このように吸込口８１が絞られた開口であることによって、移送空間Ｓ２内を移動する砂がその移送空間Ｓ２内から外に出にくくなり、砂の巻き上がりがより抑えられる。また、移送空間Ｓ２内における水の流れを維持しやすくなり、砂をより遠くまで移動させることができる。さらに、吸込口８１の長さＬを１２５ｍｍ以内にすることにより、移送空間Ｓ２内を移動する砂がその移送空間Ｓ２内から外に出にくくなり、砂の巻き上がりがより抑えられる。また、吐出口７からの水の吐出量を、３．０ｍ３／分以下にすることによっても、移送空間Ｓ２内を移動する砂がその移送空間Ｓ２の外により出にくくすることができる。
【００５５】
以上説明した支持台９１における吐出口７の構造は、図１および図２に示す、トラフ３の延在方向に５ｍ程度の間隔をあけて設けられたいずれの支持台９１においても同様である。以下、吐出方向において最も上流側に設けられた吐出口７を上流吐出口と称し、吐出方向において最も下流側に設けられた吐出口７を下流吐出口と称し、上流吐出口と下流吐出口との間に設けられた吐出口７を中間吐出口と称して区別することがある。
【００５６】
本実施形態の沈砂池１では、沈砂池１に流れ込んだ汚水は図２に示す除塵機２を通過する際に、その汚水に混入している混入物のうち、ろ過スクリーン２３の目幅（ここでは７５ｍｍ）より大きい混入物（し渣等）が取り除かれる。除塵機２を通過した汚水は、集砂ピット４を越えて、トラフ３の上流端に到達し、トラフ３の延在方向に向かってさらに流れる。汚水は、トラフ３の上流側部分を流れる間に、汚水に含まれている砂の多くが沈砂池１の池下部１ａに沈降していく。集砂ピット４に沈降する砂もあれば、傾斜面６に沈降する砂もあり、傾斜面６に沈降した砂は傾斜面６に沿って更にトラフ３に向かって流れ落ちる。また、移送空間形成部材８の上端部分８２まで沈降した砂は、移送空間形成部材８の円弧状の側面８０をつたって、画定面３１の底部３１ａに向かって流れ落ちる。こうして、トラフ３の堆積空間Ｓ１内に砂が堆積する。本実施形態の沈砂池１では、例えば、下流吐出口、中間吐出口、下流吐出口、上流吐出口、中間吐出口、下流吐出口の記載順に、それぞれ所定時間（例えば３分間）水を吐出することによって、堆積空間Ｓ１内に堆積した砂が、移送空間Ｓ２を通って集砂ピット４まで移動させられる。集砂ピット４まで移動させられてきた砂は、揚砂ポンプ４１によって沈砂池１外に排出される。
【００５７】
次に、図１〜図３に示す沈砂池１の変形例について説明する。以下に説明する変形例においては、図１〜図３に示す実施形態との相違点を中心に説明し、図１〜図３に示す実施形態における構成要素の名称と同じ名称の構成要素には、これまで用いた符号を付して説明し、重複する説明は省略することがある。
【００５８】
図４（ａ）は、沈砂池の第１変形例における、図３（ａ）に対応した態様を示す断面図である。この図４（ａ）でも図の左右方向がトラフの幅方向になる。本変形例では、主に、移送空間形成部材がトラフの一部によって構成されている点が、図１〜図３に示す実施形態と相違する。
【００５９】
図４（ａ）に示すように、トラフ３’は、それぞれ５／８円弧の断面形状をもつ、第１円弧状部材３０ａと第２円弧状部材３０ｂとを有している。第１円弧状部材３０ａと第２円弧状部材３０ｂは、ステンレス製等のパイプ材の一部を切り欠いて形成したものである。第１円弧状部材３０ａは、厚さが３ｍｍ〜４ｍｍ程度、直径が２５０ｍｍ程度のパイプ材における、時計の短針がさす、９時から、１時と２時との間までの部分（３／８円弧）を切り欠いたものである。また、第２円弧状部材３０ｂは、厚さが３ｍｍ〜４ｍｍ程度、直径が１５０ｍｍ程度のパイプ材における、時計の短針がさす、４時と５時との間から９時までの部分（３／８円弧）を切り欠いたものである。トラフ３’は、第１円弧状部材３０ａにおける上記９時に相当する端部に、第２円弧状部材３０ｂにおける上記９時に相当する端部を突き合わせて接合することによって形成されている。第１円弧状部材３０ａにおける、時計の短針がさす、９時から、７時と８時との間までの部分（１／８円弧）と、第２円弧状部材３０ｂとによって、移送空間形成部材８’が構成されている。すなわち、移送空間形成部材８’は、時計の短針が指す、７時と８時との間から、４時と５時との間までの部分（６／８円弧）を有するものである。この移送空間形成部材８’によって、下端より上の部分が閉塞した移送空間Ｓ２が画定されている。また、第１円弧状部材３０ａは、移送空間形成部材８’を構成しない、時計の短針が指す、７時と８時との間から、１時と２時との間までの部分（４／８円弧）の内周に、堆積空間Ｓ１を画定する画定面３１を備えている。この画定面３１の最深部である底には底部３１ａを有している。以下、図４（ａ）に示す、画定面３１の、幅方向における左側半分を画定面３１の一端側と称し、画定面３１の、幅方向における右側半分を画定面３１の他端側と称する。すなわち、移送空間形成部材８’は、画定面３１の、幅方向における一端側に接続する一方、画定面３１の、幅方向における他端側とは離間したものである。これにより、移送空間形成部材８’を支持する部材を省略することができ、トラフ３’の全長にわたり、移送空間形成部材８’を支持する部材によって堆積空間Ｓ１内への砂の沈降が阻害されることがなくなる。また、画定面３１の他端側と移送空間形成部材８’との間は、上方に向かって開口し、この上方に向かって開口している部分がトラフ３’の開口３ａになる。
【００６０】
移送空間形成部材８’は、下方に向かって開口しており、この下方に向かって開口している部分が移送空間形成部材８’の吸込口８１になる。すなわち、吸込口８１は、堆積空間Ｓ１内で開口したものであり、かつ、画定面３１のうちの底部３１ａに向って開口したものである。この吸込口８１の長さＬと、吸込口８１と底部３１ａとの上下方向の間隔Ｃ１は、いずれも図１および図２に示すろ過スクリーン２３の目幅（ここでは７５ｍｍ）以上１２５ｍｍ以下の範囲の中で設定されるものである。本実施形態においては、長さＬは１００ｍｍ程度に設定され、間隔Ｃ１は８０ｍｍ程度に設定されている。
【００６１】
また、上述のごとく、本実施形態のトラフ３’は、直径が２５０ｍｍ程度の第１円弧状部材３０ａと、直径が１５０ｍｍ程度の第２円弧状部材３０ｂとを接合することによって形成されている。したがって、画定面３１の他端側と移送空間形成部材２８との隙間Ｃ２は、１００ｍｍ程度になっている。すなわち、この隙間Ｃ２は、図１および図２に示すろ過スクリーン２３の目幅（ここでは７５ｍｍ）以上１２５ｍｍ以下になっている。本変形例では、トラフ３’の一部が移送空間形成部材８’を構成しているため、画定面３１の他端側と移送空間形成部材２８との隙間Ｃ２を確保しやすく、この結果、トラフ３’の幅方向における大きさを抑えることができる。なお、図４（ａ）に示す変形例における、画定面３１の他端側と移送空間形成部材２８との隙間Ｃ２は、画定面３１の他端側と移送空間形成部材２８との幅方向の間隔になっている。
【００６２】
図４（ｂ）は、同図（ａ）におけるＤ−Ｄ断面図である。この図４（ｂ）では図の左右方向がトラフ３’の延在方向になり、図の右側が上流側（集砂ピット４側）になり左側が下流側になる。
【００６３】
図４（ａ）および同図（ｂ）に示すように、移送空間形成部材８’まで下方に延在した給水管７１’は、下端部分が移送空間形成部材８’の上端部分８２を貫通し、移送空間Ｓ２と連通している。また、移送空間Ｓ２における、給水管７１’が連通する領域には、移送空間Ｓ２内に流体を吐出する吐出口７’が設けられている。この吐出口７’は、移送空間形成部材８’における移送空間Ｓ２の上側部分を、仕切部材７２で仕切ることによって形成されている。仕切部材７２は、トラフ３’の延在方向に水平な状態で延在した水平部７２１と、この水平部７２１の下流側の端部から上方に向けて傾斜した傾斜部７２２を有している。水平部７２１は、移送空間形成部材８’の内周面における、上端部を挟んだ幅方向の両側に接続し、その上流側（集砂ピット４側）の端部が給水管７１の下端部分よりも上流側に位置している。また、傾斜部７２２は、その下流側の端部が、移送空間形成部材８’の内周面における、給水管７１の下端部分が接続した部分よりも下流側に接続し、吐出口７’の下流側を閉塞している。これらによって、移送空間形成部材８’の移送空間Ｓ２における、給水管７１’が連通する領域が、仕切部材７２によって仕切られている。なお、本変形例においても、図４（ａ）および同図（ｂ）に示す吐出口７’に代えて、図３に示す吐出口７を用いてもよい。
【００６４】
吐出口７’からは、給水管７１’から供給された水が、上流側に向けて水平方向あるいは略水平方向に吐出される（図４（ｂ）中の右向きの矢印参照）。すなわち、図４（ｂ）では、図の右側が吐出方向下流側になり、図の左側が吐出方向上流側になる。吐出口７’から移送空間形成部材８’の移送空間Ｓ２内に水が吐出されることで、堆積空間Ｓ１に堆積した砂は、図４（ａ）に示す曲線の矢印のように、吸込口８１から移送空間Ｓ２内に吸い込まれる。さらに、その移送空間Ｓ２内では、吸い込まれた砂が、吐出口７’から吐出された水の流れによって吐出方向下流側（集砂ピット４側）に向かって移動する。
【００６５】
次に、沈砂池の第２変形例について説明する。
【００６６】
図５は、第２変形例の沈砂池を幅方向に切断した状態を示す断面図である。この図５では、図の左右方向が沈砂池の幅方向になる。第２変形例では、主に、池下部にトラフが設けられていない点が、図１〜図３に示す実施形態と相違する。
【００６７】
図５に示すように、沈砂池１の池下部１ａには、平面状の底面１２が設けられている。また、沈砂池１の、対向する一対の側壁１１の下端部分それぞれには、上方に向うにつれて幅方向に拡がるように傾斜した傾斜面１１ａが設けられている。これら傾斜面１１ａそれぞれの下端部は底面１２に接続している。この底面１２における、幅方向の中央部分には、堆積空間形成部材１３が配置されている。この堆積空間形成部材１３は、略直角に接続された一対の傾斜片を備えたアングル状のものである。堆積空間形成部材１３は、角部が上方を向く姿勢で、それぞれの先端部が底面１２に固定されている。堆積空間形成部材１３は、池下部１ａの長手方向全体に延在したものである。第２変形例では、側壁１１の傾斜面１１ａ、堆積空間形成部材１３および底面１２によって、池下部１ａの長手方向全体にそれぞれ延在した２つの堆積空間Ｓ１が画定されている。すなわち、傾斜面１１ａ、堆積空間形成部材１３、および底面１２における、傾斜面１１ａと堆積空間形成部材１３との間の部分が、本発明にいう、画定面に相当する。また、傾斜面１１ａと堆積空間形成部材１３が、本発明にいう斜部に相当し、底面１２のうち、傾斜面１１ａと堆積空間形成部材１３との間の部分が、本発明にいう底部に相当する。以下、底面１２のうち、傾斜面１１ａと堆積空間形成部材１３との間の部分を底部１２ａと称する。
【００６８】
沈砂池１に流れ込んだ汚水中の砂は、池下部１ａに向かって沈降して堆積空間Ｓ１内に入り込み、側壁１１の傾斜面１１ａや堆積空間形成部材１３を伝って流れ落ちて堆積空間Ｓ１内に堆積する。ここで、側壁１１の傾斜面１１ａや堆積空間形成部材１３の傾斜角度は特に限定されるものではないが、本変形例では、いずれも４５度に設定されている。また、堆積空間形成部材１３は、ステンレス等の金属製のものであるが、底面１２と一体にコンクリートで形成したものであってもよい。また、側壁１１の傾斜面１１ａや堆積空間形成部材１３は、円弧状の断面形状を有するものであってもよい。
【００６９】
それぞれの堆積空間Ｓ１には、図３に示す移送空間形成部材８と形状や大きさが同じ移送空間形成部材８が、支持台９１によって支持されている。この支持台９１は、図３に示す支持台９１と同様のものであり、池下部１ａの長手方向に５ｍ程度の間隔をあけて複数設けられている。給水管７１’’は、支持台９１の下方から上方に延び、水平面９１３１を貫通すると同時に上流側へ折れ曲がり、水平面９１３１に載置されるように、上流側を向いた吐出口７が形成されている。この吐出口７も扁平な長孔形状のものである。
【００７０】
移送空間形成部材８の吸込口８１の長さＬは、スクリーン部材（ここではろ過スクリーン２３）の目幅（ここでは７５ｍｍ）以上１２５ｍｍ以下の範囲の中で設定され、本変形例においても、長さＬは１００ｍｍ程度である。また、移送空間形成部材８の吸込口８１は、堆積空間Ｓ１内で開口するとともに、底部１２ａに向って開口している。吸込口８１と底部３１ａとの上下方向の間隔Ｃ１も、スクリーン部材（ここではろ過スクリーン２３）の目幅（ここでは７５ｍｍ）以上１２５ｍｍ以下の範囲の中で設定され、本変形例においても、間隔Ｃ１は１００ｍｍ程度である。
【００７１】
底部１２ａは、幅方向の長さが吸込口８１の幅方向の長さよりも長いものである。また、傾斜面１１ａが底部１２ａに接続する部分と、堆積空間形成部材１３が底部１２ａに接続する部分のいずれも、吸込口８１との幅方向の距離Ｄが１２５ｍｍ以下に設定され、本変形例では、８０ｍｍ程度である。これにより、堆積空間Ｓ１に堆積した砂が、吸込口８１からの距離が遠くなることによって移送空間Ｓ２内に吸い込まれにくくなることを防ぐことができる。
【００７２】
また、傾斜面１１ａと直交する方向の、移送空間形成部材８と傾斜面１１ａとの隙間Ｃ２２、および堆積空間形成部材１３と直交する方向の、移送空間形成部材８と堆積空間形成部材１３との隙間Ｃ２１が、最も狭い個所でも、スクリーン部材（ここではろ過スクリーン２３）の目幅（ここでは７５ｍｍ）以上に設定され、本変形例では、隙間Ｃ２１，Ｃ２２を１００ｍｍ程度は確保している。
【００７３】
以上説明した本実施形態の沈砂池１によれば、砂を十分に移動させながら砂の巻き上がりを抑えることができる。
【００７４】
次に、本発明の移送システムの第２実施形態である沈殿池について説明する。これより後の説明では、これまで説明した構成要素の名称と同じ名称の構成要素には、これまで用いた符号を付して説明し、重複する説明は省略することがある。沈殿池は、下水処理システムにおける、沈砂池の下流側に配置され、沈砂池によって砂が除去された汚水を受入れ、受け入れた汚水に含まれる汚泥を沈降させた後、沈降させた汚泥を汚泥ピットに移動させて汚水から取り除くものである。
【００７５】
図６は、本発明の移送システムの第２実施形態である沈殿池を上方から見た平面図である。図７は、図６に示す沈殿池のＥ−Ｅ断面図であり、図８は、図６に示す沈殿池のＦ−Ｆ断面図である。
【００７６】
図６に示すように、沈殿池１０は、汚泥ピット１４を備えた平面視長方形状の池である。以下、沈殿池１０の長辺方向を長手方向と称し、短辺方向を幅方向と称することがある。図６では図の左右方向が沈殿池１０の長手方向になり、図の上下方向が沈殿池１０の幅方向になる。また、図７では図の左右方向が沈殿池１０の長手方向になり、図８では図の左右方向が沈殿池１０の幅方向になる。
【００７７】
図６および図７に示す沈殿池１０では、受け入れた水は図の左側に向って、例えば、０．０３ｍ／ｍｉｎ〜０．５ｍ／ｍｉｎ程度の流速でゆっくり流れていく（図６および図７に示す直線の矢印参照）。すなわち、沈殿池の長手方向が水の流れの方向になり、図６および図７では図の右側が上流側になり左側が下流側になる。この沈殿池１０は、幅方向に延在し上流側に位置する上流壁１０ｈと、長手方向に延在した一対の側壁１０ｃ（図６参照）と、幅方向に延在し下流側に位置する下流壁１０ｇとを有し、長手方向の長さが３５ｍ程度、幅方向の長さが２５ｍ程度である。図７に示すように、下流壁１０ｇには、オーバーフロー用の堰１００ｇが設けられている。この堰１００ｇを乗り越えた汚水は、例えば、下水処理システムの反応タンク等に送られる。また、図６に示すように、上流壁１０ｈには、図示しない導水渠に連通した開口部１００ｈが設けられている。
【００７８】
図６および図８に示すように、沈殿池１０の上流側における幅方向の中央部分には、汚泥ピット１４が設けられている。汚泥ピット１４の外部には、不図示の汚泥ポンプが設けられ、この汚泥ポンプの不図示の吸込口が汚泥ピット１４に配設されている。汚泥ピット１４に集められた汚泥は、汚泥ポンプを駆動させることによって吸込口から吸込まれ、沈殿池１０の外部に搬送される。すなわち、汚泥ポンプが、本発明にいう、混入物を、受け入れた水の外に排出する排出手段の一例に相当する。本実施形態の汚泥ポンプには、排出量（吐出量）が２．０ｍ３／分のものが用いられている。また、図６および図８に示すように、汚泥ピット１４の幅方向両側には、それぞれ幅方向に延在し汚泥ピット１４に接続した一対の集積溝１４１が設けられている。これら集積溝１４１それぞれは、自身の幅になる、沈殿池１０の長手方向における長さが４ｍ程度であり、自身の全長になる、沈殿池１０の幅方向における長さが１０ｍ程度の溝である。図７および図８に示すように、これら集積溝１４１の底には、それぞれ溝底面１０４が設けられている。なお、図８に示すように、集積溝１４１それぞれの溝底面１０４は、汚泥ピット１４に向かうに従って沈殿池１０の水深が増加するように傾斜している。
【００７９】
図６に示すように、沈殿池１０における、汚泥ピット１４および集積溝１４１よりも上流側は、長手方向に延在した３つの仕切壁１０ｄによって４つの領域に仕切られており、それぞれの領域に池下部１０ａが設けられている。なお、図７および図８に示すように、池下部１０ａの上流側部分と、汚泥ピット１４および集積溝１４１の上方とには、天井１０ｅが設けられている。図６では、集積溝１４１を示すため、天井１０ｅは省略している。
【００８０】
図７に示す池下部１０ａそれぞれの底面１０２には、図５に示す堆積空間形成部材１３と断面形状が同一の堆積空間形成部材１３が、池下部１０ａの底面１０２における長手方向の略全長にわたって延在した状態で配置されている。図８に示すように、本実施形態の側壁１０ｃの下端部分には、図５に示す傾斜面１１ａが設けられておらず、また、仕切壁１０ｄの下端部分にも傾斜面が設けられていない。本実施形態では、池下部１０ａの底面１０２における幅方向の両端側部分には、一つの傾斜片からなる第２堆積空間形成部材１３１が配置されている。本実施形態では、堆積空間形成部材１３および第２堆積空間形成部材１３１によって、図８に示すように、それぞれの池下部１０ａには、４つの堆積空間Ｓ３が幅方向に並んだ状態で形成されている。なお、側壁１０ｃや仕切壁１０ｄの下端部分に傾斜面を設け、第２堆積空間形成部材１３１を省略してもよい。
【００８１】
沈殿池１０の、仕切壁１０ｄによって仕切られた領域に流れ込んだ汚水中の汚泥は、それぞれの池下部１０ａに向かって沈降して堆積空間Ｓ３内に入り込み、堆積空間形成部材１３や第２堆積空間形成部材１３１を伝って流れ落ちる。この結果、沈降した汚泥は、底面１０２における、堆積空間形成部材１３と堆積空間形成部材１３との間の部分、あるいは堆積空間形成部材１３と第２堆積空間形成部材１３１との間の部分に堆積する。これらの部分が、本発明にいう底部に相当し、以下、これらの部分を第１底部１０２ａと称する。すなわち、第１底部１０２ａ、堆積空間形成部材１３および第２堆積空間形成部材１３１が、本発明にいう画定面に相当する。
【００８２】
図６〜図８に示す池下部１０ａの複数の堆積空間Ｓ３それぞれには、図３に示す移送空間形成部材８と、断面形状や断面の大きさが同じ移送空間形成部材２８が配置されている。また、移送空間形成部材２８を支持する支持部材２９と、この支持部材２９が吊下げられる取付枠２６が設けられている。
【００８３】
図８に示すように、移送空間形成部材２８は、それぞれの堆積空間Ｓ３内における幅方向の中央であって、第１底部１０２ａ上に配置されたものである。また、図６および図７に示すように、移送空間形成部材２８は、沈殿池１０の長手方向に沿って延在したものであり、移送空間形成部材２８の全長は池下部１０ａの長手方向の長さと同じである。これら移送空間形成部材２８は、支持部材２９および取付枠２６によって、第１底部１０２ａから離間した状態で支持されている。取付枠２６は、断面がコ字状のものであり、図６および図８に示すように、沈殿池１０における、仕切壁１０ｄによって仕切られた領域それぞれにおいて、沈殿池１０の幅方向に延在したものである。また、図６に示すように、取付枠２６は、沈殿池１０の長手方向に間隔をあけて複数配置されている。取付枠２６は、両端部分それぞれが受け枠２６１によって支持されている。これら受け枠２６１は、側壁１０ｃおよび仕切壁１０ｄそれぞれにおける、水面よりも上方になる部分に固定されたものである。これらの受け枠２６１にそれぞれ支持された取付枠２６に支持部材２９が吊下げられている。図８に示すように、支持部材２９は、仕切壁１０ｄによって仕切られた領域それぞれにおいて、移送空間形成部材２８に対応した位置それぞれに、鉛直方向に延在した状態で複数設けられている。また、図７に示すように、支持部材２９は、長手方向において、取付枠２６の位置に対応した位置に、長手方向に所定の間隔をあけて複数設けられている。
【００８４】
図７に示すように、それぞれの池下部１０ａには、長手方向に６ｍ程度の間隔をあけて、移送空間形成部材２８の上端部分に接続する給水管２７１が設けられている。これら給水管２７１は、図３に示す給水管７１と同様に、移送空間形成部材２８を貫通して移送空間形成部材２８内に入り込んだ後に上流側（汚泥ピット１４および集積溝１４１側）に折れ曲がり、図３に示す吐出口７と同じ形状の吐出口２７が形成されている（図８参照）。これによって、第２実施形態では、それぞれの移送空間形成部材２８内において、長手方向に６ｍ程度の間隔をあけて、５つの吐出口が設けられている。これらの吐出口からは、給水管２７１から供給された水が、上流側（図６および図７では右側）に向けて水平方向あるいは略水平方向に吐出される。すなわち、図６および図７に示す池下部１０ａでは、図の右側が吐出方向下流側になり、図の左側が吐出方向上流側になる。なお、図６および図８では、図面を簡略化するため、給水管２７１は省略している。
【００８５】
図９（ａ）は、図８のＧ部を拡大して示す拡大図であり、図９（ｂ）は、図８のＨ部を拡大して示す拡大図である。図９（ａ）および同図（ｂ）では図の左右方向が沈殿池１０の幅方向になる。なお、図７のＩ部は、図８のＧ部と同一の構造であるため、図９（ａ）では、図８のＧ部の符号に図７のＩ部の符号を併記し説明を省略することがある。また、図７のＪ部は、図８のＨ部と同一の構造であるため、図８のＨ部の符号に図７のＪ部の符号を併記し説明を省略することがある。
【００８６】
まず、池下部１０ａについて説明する。図９（ａ）および同図（ｂ）に示すように、支持部材２９は、鉛直方向に延在したパイプ部材２９１と、パイプ部材２９１の下端に取り付けられた下側ネジ部材２９２と、パイプ部材２９１の上端に取り付けられた上側ネジ部材２９３とを有している。図９（ａ）に示すように、移送空間形成部材２８の上端部分には、内周にネジが切られた筒部２８３が設けられている。支持部材２９は、下側ネジ部材２９２が、移送空間形成部材２８の筒部２８３に取り付けられている。図９（ｂ）に示すように、支持部材２９は、取付枠２６に形成された孔に挿通された状態で、取付枠２６の上下からそれぞれナットＮで締め付けられることによって、支持部材２９が取付枠２６に吊下げられている。これらによって、移送空間Ｓ４を形成する移送空間形成部材２８が支持され、移送空間形成部材２８の吸込口２８１が、堆積空間Ｓ３内において、第１底部１０２ａに向って開口している。支持部材２９は、沈殿池１０内に汚水が溜まっている状態であっても、取付枠２６から取り外し、取り外した支持部材２９を引き上げることができる。これによって、移送空間形成部材２８や吐出口２７も引き上げることができ、移送空間形成部材２８や吐出口２７のメンテナンス等が可能になる。
【００８７】
ここで、沈殿池１０の上流側に設けられた沈砂池において大きな混入物は除去され、沈殿池１０が受入れる汚水には大きな混入物がほとんど含まれていない。このため、沈殿池１０では、図１や図２に示すろ過スクリーン２３のようなスクリーン部材が設けられていない場合が多い。なお、砂が含まれていない汚水を受入れる沈殿池には、上流側に沈砂池が設けられない代わりに、スクリーン部材が設けられる場合がある。すなわち、沈殿池１０では、沈砂池に比べ、吸込口２８１などに混入物がつまってしまうことを考慮する必要性が少ない。このため、吸込口２８１の長さＬや吸込口２８１と第１底部１０２ａとの間隔Ｃ１は、吐出口２７から水を吐出した際に、移送空間形成部材２８内に汚泥を吸い込みにくくならない範囲で設定することができる。具体的には、吸込口２８１の長さＬや、吸込口２８１と第１底部１０２ａとの上下方向の間隔Ｃ１は、１２５ｍｍ以下の範囲で適宜設定することができる。上述のように、図９（ａ）に示す移送空間形成部材２８は、図３に示す移送空間形成部材８と断面形状や断面の大きさが同じであるため、吸込口２８１の長さＬは１００ｍｍ程度である。また、図９（ａ）に示す移送空間形成部材２８では、移送空間形成部材２８の吸込口２８１と第１底部１０２ａとの上下方向の間隔Ｃ１を５０ｍｍ程度に設定している。なお、支持部材２９は、上側ネジ部材２９３におけるナットＮの位置を調整することによって、上下方向の位置を調整することができる。これによって支持部材２９に支持された移送空間形成部材２８の上下方向の位置を調整し、吸込口２８１と第１底部１０２ａとの上下方向の間隔Ｃ１を変更することができる。
【００８８】
さらに、第２堆積空間形成部材１３１が第１底部１０２ａに接続する部分と吸込口２８１との幅方向の距離Ｄ、および堆積空間形成部材１３が第１底部１０２ａに接続する部分と吸込口２８１との幅方向の距離Ｄのいずれも、吐出口２７から水を吐出した際に移送空間形成部材２８内に汚泥を吸い込みにくくならない１２５ｍｍ以下の範囲で適宜設定することができる。図９（ａ）に示す移送空間形成部材２８では、距離Ｄをどちらも５０ｍｍ程度に設定している。また、堆積空間形成部材１３と直交する方向の、移送空間形成部材２８と堆積空間形成部材１３との隙間Ｃ２１、および第２堆積空間形成部材１３１と直交する方向の、移送空間形成部材２８と第２堆積空間形成部材１３１との隙間Ｃ２３は、最も狭い箇所で８０ｍｍ程度である。なお、図９（ａ）に示す、給水管２７１の、移送空間Ｓ４内に入り込んだ部分２７１１には、図３に示す巻付防止板９５は設けられていない。この理由は、沈砂池において紐状の混入物が除去され、沈殿池１０が受入れる汚水には紐状の混入物がほとんど含まれていないため、このような紐状の混入物の巻き付きを防ぐ必要性が少ないからである。ここで、沈殿池１０の上流側に沈砂池が設けられていない場合には、図３に示す巻付防止板９５と同様の巻付防止板を、給水管２７１の、移送空間Ｓ４内に入り込んだ部分２７１１に設けることが好ましい。
【００８９】
また、沈殿池１０にスクリーン部材が設けられている場合には、吸込口２８１の長さＬ、吸込口２８１と第１底部１０２ａとの間隔Ｃ１、堆積空間形成部材１３と直交する方向の、移送空間形成部材２８と堆積空間形成部材１３との隙間Ｃ２１、および第２堆積空間形成部材１３１と直交する方向の、移送空間形成部材２８と第２堆積空間形成部材１３１との隙間Ｃ２３それぞれを、スクリーン部材の目幅以下にすることが好ましい。
【００９０】
次に、集積溝１４１について説明する。図７に示すように、一対の集積溝１４１それぞれの溝底面１０４には、堆積空間形成部材１３’および第２堆積空間形成部材１３１’が、複数配置されている。図６に示すように、堆積空間形成部材１３’および第２堆積空間形成部材１３１’は、沈殿池１０の幅方向に延在したものであり、沈殿池１０の長手方向に間隔をあけて配置されている。これによって、集積溝１４１の略全長にわたって延在した堆積空間Ｓ５が形成されている（図７参照）。本実施形態では、汚泥ピット１４を挟んだ一対の集積溝１４１それぞれに、３つの堆積空間Ｓ５が形成されている。図９（ａ）に示すように、これら堆積空間Ｓ５それぞれにも、図６〜図８に示す池下部１０ａの堆積空間Ｓ３と同様に、移送空間形成部材２８’が支持部材２９’によって支持され、移送空間形成部材２８’の吸込口２８１が、堆積空間Ｓ５内において、第２底部１０４ａに向って開口している。移送空間形成部材２８’は、移送空間Ｓ６を形成するものである。移送空間形成部材２８’の吸込口２８１の長さＬ、移送空間形成部材２８’の吸込口２８１と第２底部１０４ａとの上下方向の間隔Ｃ１、移送空間形成部材２８’と堆積空間形成部材１３’との隙間Ｃ２１、移送空間形成部材２８’と第２堆積空間形成部材１３１’との隙間Ｃ２３、第２堆積空間形成部材１３１’が第２底部１０４ａに接続する部分と吸込口２８１との幅方向の距離Ｄ、および堆積空間形成部材１３’が第２底部１０４ａに接続する部分と吸込口２８１との幅方向の距離Ｄのいずれも、池下部１０ａと同様である。集積溝１４１における、支持部材２９’が吊下げられる取付枠２６’は、図６に示すように、集積溝１４１の上方において、沈殿池１０の長手方向に延在した状態で、沈殿池１０の幅方向に所定の間隔をあけて配置されている。本実施形態では、それぞれの集積溝１４１に、３つの取付枠２６’が配置されている。図６および図８に示すように、３つの取付枠２６’のうち、沈殿池１０の幅方向中央に配置された取付枠２６’は、上流側の端部部分が、上流壁１０ｈに固定された受け枠２６１’に支持され、下流側の端部部分が、仕切壁１０ｄにおける上流側の面に固定された受け枠２６１’に支持されている。また、図６および図７に示すように、３つの取付枠２６’のうち、沈殿池１０の幅方向外側に配置された２つの取付枠２６’それぞれは、上流側の端部部分が、沈殿池１０の上流壁１０ｈに固定された受け枠２６１’に支持され、下流側の端部部分が、池下部１０ａにおける、最も上流側に配置された取付枠２６’上に支持されている。これら取付枠２６’それぞれに支持部材２９’が吊下げられている。
【００９１】
図８に示すように、集積溝１４１に設けられた移送空間形成部材２８’それぞれには、給水管２７１’が、沈殿池１０の幅方向における外側の端部部分と、沈殿池１０の幅方向における中間部分に接続されている。これら給水管２７１’は、図３に示す給水管７１と同様に、移送空間形成部材２８’を貫通して移送空間形成部材２８’内に入り込んだ後に幅方向中央側（汚泥ピット１４側）に折れ曲がり、図３に示す吐出口７と同じ吐出口２７’（図９（ａ）参照）が形成されている。これによって、本実施形態では、それぞれの移送空間形成部材２８’内において、長手方向に５ｍ程度の間隔をあけて、２つの吐出口２７’が設けられている。これらの吐出口２７’からは、給水管２７１’から供給された水が、汚泥ピット１４側に向けて水平方向あるいは略水平方向に吐出される。すなわち、一対の集積溝１４１それぞれにおいては、沈殿池１０の幅方向外側が吐出方向上流側になり、沈殿池１０の幅方向内側（汚泥ピット１４側）が吐出方向下流側になる。なお、図６および図７では、図面を簡略化するため、給水管２７１’を省略している。
【００９２】
沈殿池１０に流れ込んだ汚水は、汚泥ピット１４および集積溝１４１を越えて、それぞれの池下部１０ａの上流端に到達し、それぞれの池下部１０ａの延在方向に沿ってさらに流れる。汚水が流れる間に、汚水に含まれている汚泥が、汚泥ピット１４、集積溝１４１、および池下部１０ａに沈降していく。集積溝１４１に沈降した汚泥は、堆積空間形成部材１３’や第２堆積空間形成部材１３１’をつたって堆積空間Ｓ５内の第２底部１０４ａに流れ落ちる。また、移送空間形成部材２８’の外周面をつたって第２底部１０４ａに流れ落ちる。こうして、堆積空間Ｓ５内に汚泥が堆積する。また、池下部１０ａに沈降した汚泥は、堆積空間形成部材１３や第２堆積空間形成部材１３１を伝って堆積空間Ｓ３内の第１底部１０２ａに流れ落ちる。また、移送空間形成部材２８の外周面をつたって、堆積空間Ｓ３内の第１底部１０２ａに流れ落ちる。こうして、堆積空間Ｓ３内に汚泥が堆積する。
【００９３】
それぞれの池下部１０ａでは、吐出口２７から移送空間形成部材２８の移送空間Ｓ４内に水が吐出されることで、堆積空間Ｓ３内に堆積した汚泥は、図９に示す曲線の矢印のように、吸込口２８１から移送空間Ｓ４内に吸い込まれる。さらに、その移送空間形成部材２８の移送空間Ｓ４内では、吸い込まれた汚泥が、吐出口２７から吐出された水の流れによって吐出方向下流側（汚泥ピット１４や集積溝１４１側）に向かって移動する。それぞれの池下部１０ａでは、例えば、長手方向に間隔をあけて設けられた複数の吐出口２７のうち、吐出方向最上流側（沈殿池１０の水の流れでは最下流側）から吐出方向下流側（沈殿池１０の水の流れでは上流側）に順番に３分間程度ずつ水を吐出させ、堆積空間Ｓ３内に堆積した汚泥を、汚泥ピット１４や集積溝１４１まで移動させることができる。また、集積溝１４１における、堆積空間Ｓ５内に堆積した汚泥も同様に、集積溝１４１の吐出口２７’から移送空間形成部材２８’の移送空間Ｓ６内に水が吐出されることで、堆積空間Ｓ５内に堆積した汚泥は、図９に示す曲線の矢印のように、吸込口２８１から移送空間Ｓ６内に吸い込まれる。さらに、その移送空間形成部材２８’の移送空間Ｓ６内では、吸い込まれた汚泥が、吐出口２７’から吐出された水の流れによって吐出方向下流側（汚泥ピット１４側）に向かって移動する。集積溝１４１では、例えば、吐出方向上流側（沈殿池１０の幅方向外側）の吐出口２７’から水を３分間程度吐出させた後、吐出方向下流側（汚泥ピット１４側）の吐出口２７’から水を３分間程度吐出させることによって、堆積空間Ｓ５内に堆積した汚泥を、汚泥ピット１４まで移動させることができる。
【００９４】
本実施形態の吐出口２７，２７’から吐出される水の吐出量は、汚泥ポンプの排出量（ここでは２．０ｍ３／分）以下にすることが好ましく、０より大きく３．０ｍ３／分以下の範囲で設定してもよい。また、汚泥は、砂より粒径が小さい泥状のものであり、砂よりも移動させやすいため、図３に示す吐出口７における水の吐出量よりも少ない吐出量で汚泥を十分移動させることができる。このため、図３に示す吐出口７から吐出される水の吐出量の１／３程度にすることができ、例えば、本実施形態の吐出口２７，２７’から吐出される水の吐出量を、０．５ｍ３／分程度にすることができる。また、本実施形態の吐出口２７，２７’における吐出流速も、例えば、図３に示す吐出口７における水の吐出流速の１／３程度にすることができる。
【００９５】
以上説明した第２実施形態の沈殿池１０によれば、汚泥を十分に移動させながら汚泥の巻き上がりを抑えることができる。
【００９６】
なお、これまで説明してきた隙間Ｃ２，Ｃ２１，Ｃ２２，Ｃ２３は、吐出方向に直交する、上下方向を除いた方向の長さになる。
【００９７】
本発明は上述の実施の形態に限られることなく特許請求の範囲に記載した範囲で種々の変更を行うことが出来る。例えば、移送システムを工場等に設け、工場等で生じた金属粉等を一方向に移動させて所定の場所に集めるものであってもよい。また、上記第２実施形態の沈殿池１０は、仕切壁１０ｄで仕切られた複数の池下部１０ａと汚泥ピット１４に接続する集積溝１４１とを備えるものであるが、１つの池下部１０ａと汚泥ピット１４とを備え、集積溝１４１を備えていない沈殿池であってもよい。
【００９８】
なお、以上説明した実施形態や変形例の記載それぞれにのみ含まれている構成要件であっても、その構成要件を他の、実施形態や変形例に適用してもよい。
【符号の説明】
【００９９】
１    沈砂池
１０    沈殿池
１ａ，１０ａ    池下部
１３    堆積空間形成部材
２３    ろ過スクリーン
３    トラフ
３１    画定面
３１ａ    底部
４    集砂ピット
４１    揚砂ポンプ
６    傾斜面
７，２７    吐出口
８，２８    移送空間形成部材
８１，２８１    吸込口
１４    汚泥ピット
１４１    集積溝
２９    支持部材
Ｓ１，Ｓ３，Ｓ５    堆積空間
Ｓ２，Ｓ４，Ｓ６    移送空間
【図１】
2020032421.tif 000003
【図２】
2020032421.tif 000004
【図３】
2020032421.tif 000005
【図４】
2020032421.tif 000006
【図５】
2020032421.tif 000007
【図６】
2020032421.tif 000008
【図７】
2020032421.tif 000009
【図８】
2020032421.tif 000010
【図９】
2020032421.tif 000011